(57)【要約】【課題】堅樋を抱持する抱持枠と、その抱持枠を支持するアーム部との連結が強固で、施工性の良好な堅樋用控具を提供する。【解決手段】堅樋１０を周囲から抱持する抱持枠２と、抱持枠２の後端に取付けられて抱持枠２を支持すると共に、建物の外壁７に固定されるアーム部３とからなり、抱持枠２の後端に、アーム部３を左右両側から挟む一対の突片４，４が設けられた構成とする。この堅樋用控具１は、抱持枠２の後端に設けられた一対の突片４，４が、アーム部３を左右両側から挟み込むので、抱持枠２とアーム部３は強固に連結され、施工時に抱持枠２が回動してしまうことがなくなる。従って、アーム部３を止具等で建物の外壁７に固定した後、抱持枠２にアーム部３を取付けて、堅樋１０を周囲から抱持するという簡単な作業のみで、建物の外壁７に沿って堅樋１０を歪みなく配設することができ、施工性が良好である。【選択図】図１
2008138400.tif 000002
【特許請求の範囲】
【請求項１】
堅樋を周囲から抱持する抱持枠と、該抱持枠の後端に取付けられて該抱持枠を支持すると共に、建物の外壁に固定されるアーム部とからなり、
上記抱持枠の後端に、上記アーム部を左右両側から挟む一対の突片が設けられていることを特徴とする堅樋用控具。
【請求項２】
堅樋を抱持する抱持枠と、該抱持枠に取付けられたアーム部を左右両側から挟む一対の突片が、合成樹脂で一体に形成されていることを特徴とする請求項１に記載の堅樋用控具。
【請求項３】
堅樋を周囲から抱持する抱持枠が前枠部と後枠部からなる二つ割りの抱持枠であり、前枠部の一端に、後枠部の一端に形成された弯曲した係合突起を係合させる孔が設けられると共に、前枠部の他端に、後枠部の他端に形成された係止爪を係止させる孔が設けられていることを特徴とする請求項１又は請求項２に記載の堅樋用控具。
【請求項４】
堅樋を周囲から抱持する抱持枠と、該抱持枠の後端に取付けられて該抱持枠を支持すると共に、建物の外壁に固定されるアーム部とからなり、
上記アーム部の先端が前方へ折曲されて係止片が設けられ、該係止片が上記抱持枠の後端部下面に近接しているようにしたことを特徴とする堅樋用控具。
【請求項５】
堅樋を周囲から抱持する抱持枠が前枠部と後枠部からなる二つ割りの抱持枠であり、前枠部の一端に、後枠部の一端に形成された弯曲した係合突起を係合させる孔が設けられると共に、前枠部の他端に、後枠部の他端に形成された係止爪を係止させる孔が設けられていることを特徴とする請求項４に記載の堅樋用控具。
【発明の詳細な説明】
【技術分野】
【０００１】
本発明は、住宅の外壁に沿って堅樋を配設するための堅樋用控具に関するものである。
【背景技術】
【０００２】
従来の堅樋取付具として、例えば、図６に示すようなものが知られている。この堅樋取付具１００は、堅樋１０を保持する堅樋保持部１０１と、該堅樋保持部１０１の後端に取付けられて、住宅の外壁に固定される支持部１０２からなるものである。このように近年の堅樋取付具１００は、施工性を向上させるために、堅樋保持部１０１と支持部１０２が別体のものが好適に使用されるようになってきている。
【０００３】
しかしながら上記の堅樋取付具１００は、図７に示すように、施工性向上のため、堅樋保持部１０１と支持部１０２との取付けが、１箇所をリベット５止めしているだけなので、図７に仮想線で示すように、施工時に堅樋保持部１０１がリベット５を中心に回動してしまい、堅樋が嵌め難くく、施工性があまり良くないという問題があった。
【０００４】
また、本出願人も、堅樋を保持する堅樋保持部の後端にアーム部を介してスライド片を一体に形成してなる控え具の該スライド片を、取付基体のアリ溝にスライド自在に嵌合保持させた堅樋取付具などを提案している（特許文献１）。
【０００５】
この堅樋取付具は、地震の際に堅樋の揺れを許容して堅樋の破損を防止する優れたものであるが、上記の問題を解決するには至っていない。
【特許文献１】特開２０００−３３７２５８号公報
【発明の開示】
【発明が解決しようとする課題】
【０００６】
本発明は上記の問題に鑑みてなされたもので、堅樋を抱持する抱持枠と、その抱持枠を支持するアーム部との連結が強固なため、従来のように抱持枠が回動することがなく、施工性の良好な堅樋用控具を提供することを解決課題としている。
【課題を解決するための手段】
【０００７】
上記課題を解決するため本発明の堅樋用控具は、堅樋を周囲から抱持する抱持枠と、該抱持枠の後端に取付けられて該抱持枠を支持すると共に、建物の外壁に固定されるアーム部とからなり、上記抱持枠の後端に、上記アーム部を左右両側から挟む一対の突片が設けられていることを特徴とするものである。
【０００８】
本発明の堅樋用控具においては、堅樋を抱持する抱持枠と、該抱持枠に取付けられたアーム部を左右両側から挟む一対の突片が、合成樹脂で一体に形成されていることが好ましい。特に、堅樋を周囲から抱持する抱持枠が前枠部と後枠部からなる二つ割りの抱持枠であり、前枠部の一端に、後枠部の一端に形成された弯曲した係合突起を係合させる孔が設けられると共に、前枠部の他端に、後枠部の他端に形成された係止爪を係止させる孔が設けられている堅樋用控具がより好ましい。
【０００９】
一方、堅樋を周囲から抱持する抱持枠と、該抱持枠の後端に取付けられて該抱持枠を支持すると共に、建物の外壁に固定されるアーム部とからなり、上記アーム部の先端が前方へ折曲されて係止片が設けられ、該係止片が上記抱持枠の後端部下面に近接しているようにした堅樋用控具も好ましく、堅樋を周囲から抱持する抱持枠が前枠部と後枠部からなる二つ割りの抱持枠であり、前枠部の一端に、後枠部の一端に形成された弯曲した係合突起を係合させる孔が設けられると共に、前枠部の他端に、後枠部の他端に形成された係止爪を係止させる孔が設けられている堅樋用控具がより好ましい。
【発明の効果】
【００１０】
本発明の堅樋用控具は、アーム部を止具等で建物の外壁に固定した後、抱持枠にアーム部を取付けて、堅樋を周囲から抱持するという従来の堅樋取付具と同様の簡単な作業のみで、建物の外壁に沿って堅樋を歪みなく配設することができる。その際、抱持枠の後端に設けられた一対の突片が、アーム部を左右両側から挟み込むので、抱持枠とアーム部は強固に連結され、従来の堅樋取付具のように施工時に抱持枠が回動してしまうことがなくなり、施工性が向上する。
【００１１】
また、堅樋を抱持する抱持枠と、該抱持枠に取付けられたアーム部を左右両側から挟む一対の突片が、合成樹脂で一体に形成されている堅樋用控具は、合成樹脂製なので成形が容易で、また、抱持枠と、アーム部を左右両側から挟む突片を一体に形成することで、従来の軒樋取付具の製造に用いた金型の一部を変更するだけで本発明の堅樋用控具を成形することができ、製造コストを抑えることができる。
【００１２】
更に、堅樋を周囲から抱持する抱持枠が前枠部と後枠部からなる二つ割りの抱持枠であり、前枠部の一端に、後枠部の一端に形成された弯曲した係合突起を係合させる孔が設けられると共に、前枠部の他端に、後枠部の他端に形成された係止爪を係止させる孔が設けられている堅樋用控具は、前枠部の一端の孔に後枠部の一端に形成された弯曲した係合突起を係合させることで前枠部が後枠部に開閉自在に取付けられており、且つ、前枠部の他端の孔に後枠部の他端の係止爪を係止させることによって前枠部が開かないように後枠部に固定されているものである。従って、抱持枠で堅樋を抱持するのに、ネジ等の止具が不要となり施工性が大幅に向上する。
【００１３】
一方、堅樋を周囲から抱持する抱持枠と、該抱持枠の後端に取付けられて該抱持枠を支持すると共に、建物の外壁に固定されるアーム部とからなり、上記アーム部の先端が前方へ折曲されて係止片が設けられ、該係止片が上記抱持枠の後端部下面に近接しているようにした堅樋用控具も、前述した堅樋用控具と同様、容易に建物の外壁に沿って堅樋を配設することができる。即ち、この堅樋用控具は、アーム部の先端に設けられた係止片が抱持枠の後端部下面に近接しているので、抱持枠で堅樋を抱持するときに、抱持枠が回動しそうになっても、抱持枠がアーム部の係止片に係止して回動を防止するので、施工時に抱持枠が回動してしまい、堅樋が嵌め難くくなるということがない。
【００１４】
また、堅樋を周囲から抱持する抱持枠が前枠部と後枠部からなる二つ割りの抱持枠であり、前枠部の一端に、後枠部の一端に形成された弯曲した係合突起を係合させる孔が設けられると共に、前枠部の他端に、後枠部の他端に形成された係止爪を係止させる孔が設けられている堅樋用控具は、前述した堅樋用控具と同様に、抱持枠で堅樋を抱持するのに、止具等が不要となるので施工性が良好である。
【発明を実施するための最良の形態】
【００１５】
以下、図面を参照して本発明の具体的な実施形態を詳述する。
【００１６】
図１は本発明の一実施形態に係る堅樋用控具を示すものであって、（ａ）は同控具の平面図、（ｂ）は同控具の右側面図、（ｃ）は同控具の背面図、図２は同控具を用いて堅樋を建物の外壁に沿って配設した状態を示す全体図、図３は同控具により堅樋を建物の外壁に固定したところを示す部分側面図、図４は同控具で堅樋を抱持する方法を示す説明図である。
【００１７】
本発明の堅樋用控具１は、図１、図４に示すように、堅樋１０を周囲から抱持する抱持枠２と、該抱持枠２の後端に取付けられたアーム部３とで構成されている。
【００１８】
堅樋１０を周囲から抱持する抱持枠２は、アクリロニトリル・エチレンプロピレンゴム・スチレン樹脂（ＡＥＳ）、アクリロニトリル・スチレン・アクリレート樹脂（ＡＳＡ）、ポリカーボネートやポリ塩化ビニル樹脂等の合成樹脂を射出成形したもので、図１（ａ）に示すように、コ字形の前枠部２ａと後枠部２ｂとから構成されている。前枠部２ａの一端（左側面）には孔２ｃが穿孔されており、他端（右側面）には孔２ｅが穿孔されている。また、後枠部２ｂの一端（左側面）には弯曲した係合突起２ｄが形成されており、他端（右側面）には係止爪２ｆが形成されている。そして、前枠部２ａと後枠部２ｂは、前枠部２ａの一端の孔２ｃに後枠部２ｂの一端に形成された弯曲した係合突起２ｄを係合させることによって前枠部２ａが後枠部２ｂに開閉自在に取付けられており、且つ、前枠部２ａの他端の孔２ｅに後枠部２ｂの他端に形成された係止爪２ｆを係止させることによって前枠部２ａが開かないように後枠部２ｂに固定されている。
【００１９】
図１（ａ）に示すように、この後枠部２ｂには、後述するアーム部３を取付けるのに用いるリベット５を打込むためのリベット孔２ｇが穿孔されている。また、アーム部３を後枠部２ｂに取付けた際、一対の突片４，４がアーム部３の左右両側に位置するように、後枠部２ｂと一体に設けられている。このように後枠部２ｂと突片４，４を合成樹脂で一体に形成することで、従来の軒樋取付具１００の製造に用いた金型の一部を変更するだけで本発明の堅樋用控具１を成形することができ、製造コストを大幅に抑えることができる。
【００２０】
上記突片４は、図１（ａ）、（ｂ）に示すように、後枠部２ｂの後端から後方へ突き出すように形成されたもので、アーム部３を左右両側から確実に挟めるように、その長さは０．５ｍｍ〜１０ｍｍ程度で、突片４と突片４との間の距離はアーム部３と略等しく、また、高さは後枠部２ｂと等しくなるように形成されている。この突片４，４がアーム部３を左右両側から挟み込んで、抱持枠２とアーム部３を強固に連結するので、堅樋１０の抱持作業中、リベット５を中心に抱持枠２が回動して堅樋１０が嵌め難い、という従来の堅樋取付具１００が抱えていた問題を解決することができる。
尚、図１では、突片４の長さは取付片３ａと略同じ長さにしているが、突片４の形状、長さは、これに限定されるものではなく、後枠部２ｂの上下端側において、それぞれ１箇所以上、つまり合計で２箇所以上の突片が形成することでも（図示せず）、同様の機能をはたすことができる。
また、図１では突片４は取付片３ａの両側に形成しているが、突片４の長さが２ｍｍ以上である場合は、突片４の片側にのみ形成することもできる（図示せず）。
【００２１】
一方、上記抱持枠２の後端に取付けられて抱持枠２を支持すると共に、建物の外壁７に固定されるアーム部３は、図１（ｂ）、（ｃ）に示すように、上記抱持枠２の後枠部２ｂに取付けられる取付片３ａと、その取付片３ａから略９０°後方へ折り曲げて形成された抱持枠２枠を支持する支持片３ｂと、支持片３ｂから略９０°上方へ折り曲げて形成された建物の外壁６に固定される固定片３ｃからなるもので、耐腐蝕性に優れるステンレス等で形成されたものが好適に使用される。このアーム部３は、図２等からもわかるように、建物の美観を損なわないよう、堅樋１０に隠れて正面から見えない本実施形態のようなものが好ましい。
【００２２】
そして、上記アーム部３の取付片３ａには、上記抱持枠２とアーム部３を連結するリベット５を打込むための取付孔３ｄが穿孔されている。また、固定片３ｃには、アーム部３を建物の外壁７に固定するための止具６を挿通する固定孔３ｅ，３ｅが上下に２つ穿孔されている。
【００２３】
以上のような堅樋用控具１による堅樋１０の取付けは、図２、図３に示すように、該控具１のアーム部３後端の固定片３ｃを止具６，６で建物の外壁７に固定した後、抱持枠２とアーム部３を連結する。抱持枠２とアーム部３の取付けは、止具等を用いて取付けてもよいが、本実施形態では、施工性をより向上させるため、抱持枠２の後枠部２ｂのリベット孔２ｇとアーム部３の取付片３ａの取付孔３ｄにリベット５を打ち込んだ、所謂リベット止めで取付けられている。そして、抱持枠２とアーム部３の取付けが完了した後、該控具１の二つ割りの抱持枠２ａ，２ｂで堅樋１０を周囲から抱持固定することによって行われる。
【００２４】
即ち、抱持枠２ａ，２ｂで堅樋１０を抱持するには、まず前枠部２ａの右側面を内側に押し込んで、前枠部２ａの一端の孔２ｅと係止している後枠部２ｂの係止爪２ｆを離合させる。そして、図４に示すように、後枠部２ｂの他端（左側面）に形成された弯曲した係合突起２ｄを中心に前枠部２ａを略９０°回転させる。前枠部２ａを略９０°回転させると、堅樋１０の挿入スペースができるので、堅樋１０をそのスペースに挿入し、堅樋１０を後枠部２ｂに密接させる。そして、再び後枠部２ｂの係合突起２ｄを中心に前枠部２ａを元の位置まで回転させて、前枠部２ａの弾性変形を利用し、後枠部２ｂの係止爪２ｆと係止させることで堅樋１０の抱持作業は完了する。
【００２５】
このときの建物の外壁７に沿って配設される上記堅樋１０は、塩化ビニル樹脂、ポリカーボネートなどの熱可塑性樹脂で角筒状に押出成形された厚さ０．８〜２ｍｍの角堅樋であって、充填材が均一に含有され、該充填材が堅樋１０の外面に突出して無数の微小突起が形成されたものが好適に使用される。含有される充填材としては、例えば炭酸カルシウム、シリカ、タルク、硫酸バリウム、マイカなどの無機充填材や、架橋スチレン粒子、架橋アクリル粒子などの有機系充填材が使用され、このような充填材が含有された堅樋１０を用いると、堅樋１０が熱可塑性樹脂製であるにも拘わらず、表面平滑度と静摩擦係数が低下して、堅樋１０と上記堅樋用控具１が付着しなくなり、滑りが良くなる。従って、この堅樋１０が熱伸縮しても上記堅樋用控具１に歪みや変形を生じる心配がなくなる。
尚、本実施形態では、建物の美観向上のため、堅樋１０として角堅樋が用いられているが、丸樋を用いてもよいことは言うまでもなく、その際は、抱持枠２の内面形状を円形に変更すればよい。
【００２６】
以上のような構成の本発明の堅樋用控具１は、抱持枠２で堅樋１０を抱持するのにネジ等の止具が必要なく、施工が簡単であるにも拘わらず、抱持枠２の後端に設けられた一対の突片４，４が、確実にアーム部３を左右両側から挟み込んで抱持枠２の回動を抑制するので、従来の堅樋取付具のように施工時に抱持枠２が回動してしまうことがなく、容易に建物の外壁７に沿って堅樋１０を綺麗に配設することができる。しかも、この堅樋用控具１は、抱持枠２と一対の突片４，４は合成樹脂で一体に成形されたものなので、従来の軒樋取付具の製造に用いた金型の一部を変更するだけで成形することができ、製造コストを抑えることもできる、といった顕著な効果を奏する。
【００２７】
図５は本発明の他の実施形態に係る堅樋用控具を示すものであって、（ａ）は同控具の平面図、（ｂ）は同控具の右側面図、（ｃ）は同控具の背面図である。
【００２８】
この実施形態の堅樋用控具１ａは、図５に示すように、堅樋１０を周囲から抱持する抱持枠２０と、該抱持枠２０の後端に取付けられたアーム部３０からなるもので、抱持枠２０は、図５（ａ）に示すように、前述した堅樋用控具１の抱持枠２の後端に設けられた一対の突片４，４を省いただけのものである。また、アーム部３０は、図５（ｂ）に示すように、前述したアーム部３の取付片３ａの先端部分を略９０°前方へ折り曲げて、係止片３ｆを設けたものである。
この堅樋用控具１ａの他の構成は、前述した図１〜図４に示す実施形態の堅樋用控具１と同様であるから、同一部材に同一符号を付し、説明を省略する。
【００２９】
このようなアーム部３の先端を折り曲げて係止片３ｆが設けられた堅樋用控具１ａは、抱持枠２０にアーム部３０を取付けた際、係止片３ｆが抱持枠２０の後端部下面に接触するほど近接するので、堅樋１０の抱持作業時に抱持枠２が回動しそうになっても、抱持枠２０の後端部下面が係止片３ｆと係止して抱持枠２の回動が抑制されるので、前述した堅樋用控具１と同様、容易に建物の外壁７に沿って堅樋１０を配設することができる。
尚、製造コストは多少向上するが、アーム部３０を左右両側から挟む突片４，４が設けられた前述の抱持枠２を用いることも勿論可能で、その場合は、より確実に抱持枠２の回動を防止することができる。
【図面の簡単な説明】
【００３０】
【図１】本発明の一実施形態に係る堅樋用控具を示すものであって、（ａ）は同控具の平面図、（ｂ）は同控具の右側面図、（ｃ）は同控具の背面図である。
【図２】同控具を用いて堅樋を建物の外壁に沿って配設した状態を示す全体図である。
【図３】同控具により堅樋を建物の外壁に固定したところを示す部分側面図である。
【図４】同控具で堅樋を抱持する方法を示す説明図である。
【図５】本発明の他の実施形態に係る堅樋用控具を示すものであって、（ａ）は同控具の平面図、（ｂ）は同控具の右側面図、（ｃ）は同控具の背面図である。
【図６】従来の堅樋取付具を示す正面図である。
【図７】従来の堅樋取付具の問題点を示す説明図である。
【符号の説明】
【００３１】
１、１ａ  堅樋用控具
２、２０  抱持枠
２ａ  前枠部
２ｂ  後枠部
２ｃ  一端（左側面）の孔
２ｄ  弯曲した係合突起
２ｅ  他端（右側面）の孔
２ｆ  係止爪２ｆ
３、３０  アーム部
３ｆ  係止片
４    突片
７    建物の外壁
１０  堅樋
【図１】
2008138400.tif 000003
【図２】
2008138400.tif 000004
【図３】
2008138400.tif 000005
【図４】
2008138400.tif 000006
【図５】
2008138400.tif 000007
【図６】
2008138400.tif 000008
【図７】
2008138400.tif 000009